(57)【特許請求の範囲】
【請求項１】
基板と、
前記基板の上面に配置される第１発光部と、
前記基板の上面に配置される第２発光部と、
前記基板の上面に配置される第３発光部と、
上面部と側面部を有し、前記上面部の下面に第１マークおよび第２マークが加工されている第１導光体と、
上面部と側面部とを有する第２導光体と、
を備え、
前記第１導光体の前記側面部の上端は、前記第１導光体の前記上面部と連結しており、前記第１導光体の前記側面部の下端は、前記第１発光部および前記第２発光部と対向しており、
前記第１発光部から前記第１導光体に入射される光によって、前記第１マークが前記第１導光体の前記上面部で発光し、
前記第２発光部から前記第１導光体に入射される光によって、前記第２マークが前記第１導光体の前記上面部で発光し、
前記第３発光部から前記第２導光体に入射される光によって、前記第２導光体の前記上面部が発光し、
前記第１発光部、前記第２発光部、前記第３発光部のうち少なくともいずれか１つは、発光する輝度を可変できる入力操作装置。
【請求項２】
基板と、
前記基板の上面に配置される第１発光部と、
前記基板の上面に配置される第２発光部と、
前記基板の上面に配置される第３発光部と、
上面部と側面部を有し、前記上面部の下面に第１マークおよび第２マークが加工されている第１導光体と、
上面部と側面部とを有する第２導光体と、
を備え、
前記第１導光体の前記側面部の上端は、前記第１導光体の前記上面部と連結しており、前記第１導光体の前記側面部の下端は、前記第１発光部および前記第２発光部と対向しており、
前記第１発光部から前記第１導光体に入射される光によって、前記第１マークが前記第１導光体の前記上面部で発光し、
前記第２発光部から前記第１導光体に入射される光によって、前記第２マークが前記第１導光体の前記上面部で発光し、
前記第３発光部から前記第２導光体に入射される光によって、前記第２導光体の前記上面部で発光し、
前記第１導光体および前記第２導光体のうち少なくともいずれか一方は、グラデーションを有する発光ができるように加工されている入力操作装置。
【請求項３】
前記第１導光体の側面部は、第１側面部および第２側面部を有し、
前記第１側面部の上端は前記第１導光体の前記上面部と連結しており、前記第１側面部の下端は前記第１発光部と対向しており、
前記第２側面部の上端は前記第１導光体の前記上面部と連結しており、前記第２側面部の下端は前記第２発光部と対向している請求項１または請求項２に記載の入力操作装置。
【請求項４】
前記第１導光体または前記第２導光体のいずれかは、グラデーションを有する発光ができるように加工されている第１発光領域を有し、
前記第１導光体または前記第２導光体のいずれかは、第２発光領域を有し、
前記第２発光領域は、単調な輝度で発光ができるように、前記第１導光体または前記第２導光体のいずれかに加工されており、
前記第１発光領域と前記第２発光領域とは、異なる領域である請求項２記載の入力操作装置。
【請求項５】
前記第２発光領域は、前記第１導光体に形成されており、
前記第２発光領域に前記第１マークおよび前記第２マークの少なくともいずれか一方が加工されている請求項４記載の入力操作装置。
【請求項６】
グラデーションを有する発光ができるように加工されている前記第１発光領域は、前記第２導光体に形成され、
前記第２発光領域は、前記第１導光体に形成されており、
前記第１導光体の前記上面部は、前記第２導光体の上方に配置されている請求項４または請求項５記載の入力操作装置。
【請求項７】
入力操作を行うことができるノブ構造体を更に備え、
前記ノブ構造体を操作することにより、
前記第１発光部、前記第２発光部、前記第３発光部における発光の状態が切り換わる請求項１または請求項２に記載の入力操作装置。
【請求項８】
前記第１導光体において、前記第１マークが形成されている領域と、前記第２マークが形成されている領域とは、少なくとも一部が重なっている請求項１記載または請求項２に記載の入力操作装置。
【発明の詳細な説明】
【技術分野】
【０００１】
本開示は、各種電子機器または、車両の車室内等に搭載される入力操作装置に関する。
【背景技術】
【０００２】
自動車では、車室内のセンタークラスタなどに各種の入力操作装置を設置する提案がされている。【０００３】
例えば、特許文献１による操作入力パネルユニットでは、センタークラスタにディスプレイが設置されている。ディスプレイの周囲には、入力操作装置として、複数個の入力スイッチが配置されている。【０００４】
従来の入力スイッチは、スイッチ操作面に文字形状が表示される透光部を有し、背面側からＬＥＤで照光されることによって、透光部に表示される文字が視認し易くなるように構成されている。
【先行技術文献】
【特許文献】
【０００５】
【特許文献１】特開２０１２−００１１２８号公報
【発明の概要】
【０００６】
本開示による入力操作装置の一態様は、基板と、基板の上面に配置される第１発光部と、基板の上面に配置される第２発光部と、基板の上面に配置される第３発光部とを有する。更に、上面部と側面部を有し、上面部の下面に第１マークおよび第２マークが加工されている第１導光体を有する。更に、上面部と側面部とを有する第２導光体を有する。そして、第１導光体の側面部の上端は、第１導光体の上面部と連結しており、第１導光体の側面部の下端は、第１発光部および第２発光部と対向している。また、第１発光部から第１導光体に入射される光によって、第１マークが第１導光体の上面部で発光し、第２発光部から第１導光体に入射される光によって、第２マークが第１導光体の上面部で発光する。第３発光部から第２導光体に入射される光によって、第２導光体の上面部が発光し、第１発光部、第２発光部、第３発光部のうち少なくともいずれか１つは、発光する輝度を可変できる。
【０００７】
また、本開示による入力操作装置の別の一態様は、基板と、基板の上面に配置される第１発光部と、基板の上面に配置される第２発光部と、基板の上面に配置される第３発光部とを有する。更に、上面部と側面部を有し、上面部の下面に第１マークおよび第２マークが加工されている第１導光体を有する。更に、上面部と側面部とを有する第２導光体を有する。そして、第１導光体の側面部の上端は、第１導光体の上面部と連結しており、第１導光体の側面部の下端は、第１発光部および第２発光部と対向している。また、第１発光部から第１導光体に入射される光によって、第１マークが第１導光体の上面部で発光し、第２発光部から第１導光体に入射される光によって、第２マークが第１導光体の上面部で発光する。第３発光部から第２導光体に入射される光によって、第２導光体の上面部が発光し、第１導光体および第２導光体のうち少なくともいずれか一方は、グラデーションを有する発光ができるように加工されている。
【０００８】
本開示によれば、同じ表示領域に第１マーク及び第２マークを表示できる。
【図面の簡単な説明】
【０００９】
【図１】図１は、実施の形態による入力操作装置を搭載した車室内の前方部を模式的に示す図である。
【図２】図２は、実施の形態による入力操作装置の外観斜視図である。
【図３】図３は、実施の形態による入力操作装置の断面図である。
【図４】図４は、実施の形態による入力操作装置の断面図である。
【図５】図５は、実施の形態による入力操作装置の分解斜視図である。
【図６】図６は、実施の形態による入力操作装置の配線基板３０の上面図である。
【図７】図７は、実施の形態による入力操作装置の配線基板３０の上面図である。
【図８】図８は、実施の形態における操作ノブの表示領域に第３マークが表示された状態を示す図である。
【図９】図９は、実施の形態における操作ノブの表示領域に第１マークが表示された状態を示す図である。
【図１０】図１０は、実施の形態における操作ノブの表示領域に第２マークが表示された状態を示す図である。
【図１１】図１１は、実施の形態による入力操作装置における導光体と発光部の位置関係を説明するための概略図である。
【図１２】図１２は、実施の形態の変形例による入力操作装置における導光体と発光部の位置関係を説明するための概略図である。
【発明を実施するための形態】
【００１０】
本実施の形態による入力操作装置の説明に先立って、特許文献１による入力装置の問題点について説明する。
【００１１】
上述した特許文献１による入力スイッチでは、一つの入力スイッチで透光部の形状が予め決定されている。このため、ＬＥＤでの照光時に、一つの入力スイッチを単機能に設定せざるを得ないという問題があった。
【００１２】
本開示の入力操作装置１００は、従来の問題点を解決するものであり、一つの入力操作部位に対し、複数のマークを切り換えて表示可能に構成している。
【００１３】
本開示による入力操作装置について、以下に図面を参照しながら説明する。
【００１４】
（実施の形態）
図１は本開示の実施の形態による入力操作装置１００を搭載した車室内の前方部を模式的に示す図である。図２は入力操作装置１００の外観斜視図である。図３および図４は入力操作装置１００の断面図である。図５は入力操作装置１００の分解斜視図である。図６および図７は入力操作装置１００の操作ノブ１１０に組み込まれた配線基板３０の上面図である。図８は操作ノブ１１０の表示領域に第３マークが表示された状態を示す図、図９は第１マークが表示された状態を示す図、図１０は第２マークが表示された状態を示す図である。
【００１５】
図１に示すように、本開示の実施形態による入力操作装置１００は、自動車などの車両において、車室内の前方の２つの座席の間に配置されているセンターコンソール１に設置されている。
【００１６】
センターコンソール１は、センターアームレスト３とインストルメントパネル５との間に設けられている。センターコンソール１のセンターアームレスト３近傍付近の傾斜は、人がセンターアームレスト３に腕を載せた際、その腕が自然に沿う角度に設定されている。
【００１７】
センターコンソール１には、エアコン操作パネル７等が配置されている。インストルメントパネル５には、ディスプレイ９や所定操作を行うための各種の操作スイッチ（図示は省略する）などが配置されている。
【００１８】
入力操作装置１００は、図２に示すように、樹脂製のケース部２０と、ケース部２０から突出する操作ノブ１１０と、操作ノブ１１０の左右位置それぞれに配置された押圧スイッチ部１２０とを有する。
【００１９】
ケース部２０は、図３〜図５に示すように、上ケース２０Ａと、下ケース２０Ｂと、樹脂製で板状の中間ケース２０Ｃとを有する。ケース部２０の略中間高さ位置に、中間ケース２０Ｃが配置されている。
【００２０】
操作ノブ１１０は、外形が円柱状で、上端部へのタッチ操作が可能なように構成されている。操作ノブ１１０は、押圧操作も可能なように構成されている。そして、操作ノブ１１０は回転操作が可能な部位を有する。
【００２１】
操作ノブ１１０は、上端部に円形の表示領域を有する。また、表示領域がタッチ操作領域になっている。押圧スイッチ部１２０のそれぞれは、押圧操作が可能なように構成されている。
【００２２】
操作ノブ１１０は、図３〜図５に示すように、外形が円柱状になるように、複数の樹脂部材が組み合わせられて形成されるノブ構造体２５を有する。なお、ノブ構造体２５は、樹脂部材以外を含めて構成されていてもよい。ノブ構造体２５を構成する樹脂部材の形状等は任意であり、以下では、樹脂部材毎の詳細説明は必要部分のみに留めて、樹脂部材の説明は簡略化する。
【００２３】
図３〜図５に示すように、複数の樹脂部材としては、基板保持体２５Ａ、ノブ保持体２５Ｂ、回転部材保持体２５Ｃ、ノブ天面２５Ｄ、天面保持体２５Ｅ、リング状操作部材２５Ｆがある。基板保持体２５Ａ、ノブ保持体２５Ｂ、回転部材保持体２５Ｃ、ノブ天面２５Ｄ、天面保持体２５Ｅは、結合されている。さらに、回転部材保持体２５Ｃに、回転可能にリング状操作部材２５Ｆが装着されている。これらの複数の樹脂部材で、ノブ構造体２５が構成されている。ノブ構造体２５は、中空部を有している。ノブ構造体２５は、上ケース２０Ａに設けられた円形開口部から上部が上方に突出するように配置され、全体的に下方に向かって移動可能になっている。
【００２４】
そして、ノブ構造体２５を操作することにより、発光部２１０、発光部２２０、発光部２３０における発光の状態が切り換わるように構成されている。なお、発光部２１０、発光部２２０、発光部２３０における発光の状態の切り換わりについては、後述する。なお、ノブ構造体２５を用いて、スイッチのオン・オフが制御されたり、音量や温度が調整されたりする。
【００２５】
操作ノブ１１０は、ノブ構造体２５と、配線基板３０と、配線基板３０の上面に実装された発光素子４１〜４４と、意匠プレート５０と、導光体６１〜６３とを含む。発光素子４１〜４４の配置については、図６および図７を参照しながら後述する。
【００２６】
配線基板３０は、ノブ構造体２５の基板保持体２５Ａの上面に固定されている。
【００２７】
次に発光素子４１〜４４の配置について、図６および図７を参照しながら説明する。
【００２８】
発光素子４４は、配線基板３０の中央位置に実装されており、１つの発光素子４４で発光部２４０が構成されている。
【００２９】
発光部２１０は、図６に一点鎖線で示されている。なお、図７には発光部２１０を示す一点鎖線および符号２１０は図示していない。発光部２１０は、５つの発光素子４１で構成されており、発光部２４０を中心とする円弧状に、配線基板３０の上面に形成されている。すなわち、複数の発光素子４１が、配線基板３０上に、発光部２４０を中心とした円形リング状の所定角度の範囲（例えば６０度の範囲）に配列されて実装されている。
【００３０】
発光部２１０と同様に、発光部２２０も、図６中に一点鎖線で示されている。なお、図７には発光部２２０を示す一点鎖線および符号２２０は図示していない。発光部２２０は、５つの発光素子４２で構成されており、発光部２４０を中心とする円弧状に、配線基板３０の上面に形成されている。すなわち、複数の発光素子４２が、配線基板３０上に、発光部２４０を中心とした円形リング状の所定角度の範囲（例えば６０度の範囲）に配列されて実装されている。
【００３１】
なお、本実施の形態では、発光部２１０と発光部２２０は、発光部２４０を中心とした点対称の位置関係で設けられているが、必ずしも点対称の位置関係にする必要はない。
【００３２】
発光部２３０は、図７に一点鎖線で示されている。発光部２３０は、発光部２１０および発光部２２０の外周位置に同心の円形リング状で形成されている。すなわち、複数の発光素子４３が、発光部２３０に等間隔で配置されている。本実施の形態では、円形の配線基板３０の外周近傍に６つの発光素子４３が６０度の間隔で円環をなすように配置され、発光部２３０が形成されている。なお、複数の発光素子４３の配置は、必ずしも６０度の間隔である必要はなく、必ずしも等間隔である必要はない。
【００３３】
そして、発光部２１０、２２０、２３０、２４０を有する配線基板３０がノブ構造体２５に組み込まれている。また、配線基板３０の上方には、導光体６１〜６３等が配置されている（図３〜図５参照）。
【００３４】
ここで、導光体６１、導光体６２、発光素子４１、発光素子４２、発光素子４３との位置関係について、図１１を参照しながら説明する。図１１は、導光体と発光素子との位置関係を説明するための概略図である。
【００３５】
なお、図６を参照しながら説明した本実施の形態の入力操作装置では、本来、発光素子４１および発光素子４２が、発光素子４３と同じ断面図に開示されることはない。しかしながら、上下の位置関係を理解し易くするために、便宜上、発光素子４１、発光素子４２、発光素子４３を図１１の断面図に同時に図示している。よって、例えば、図６と図１１との整合性は取れていない。発光素子４４については、図１１には図示していない。
【００３６】
図１１に示す通り、導光体６１は、上面部６１Ａと側面部６１Ｂとを有する。そして、導光体６１の側面部６１Ｂの上端は、導光体６１の上面部６１Ａと連結している。導光体６２は、上面部６２Ａと側面部６２Ｂとを有する。そして、導光体６２の側面部６２Ｂの上端は、導光体６２の上面部６２Ａと連結している。
【００３７】
導光体６１の上面部６１Ａの下面６１Ｃにマークが加工されている。導光体６２の上面部６２Ａの下面６２Ｃに別のマークが加工されている。なお、詳細については後述するが、本実施の形態では、導光体６１の上面部６１Ａの下面６１Ｃには、２種類のマークが発光できるように加工されていて、導光体６２の上面部６２Ａの下面６２Ｃは、グラデーションを有する発光ができるように加工されている。
【００３８】
配線基板３０の上面に発光素子４１、４２、４３（発光部２１０、２２０、２３０）が配置されている。そして、導光体６１の側面部６１Ｂ  の一方の下端は発光素子４１と対向しており、他方の下端は発光素子４２と対向している。導光体６１は、発光素子４１（発光部２１０）および発光素子４２（発光部２２０）からの光を導光する。
【００３９】
なお、本実施の形態では、側面部６１Ｂ、６２Ｂは筒状である。しかしながら、側面部６１Ｂと、上面部６１Ａとが連結していればよく、側面部６１Ｂは必ずしも筒状である必要はない。同様に、側面部６２Ｂと、上面部６２Ａが連結していればよく、側面部６２Ｂは必ずしも筒状である必要はない。
【００４０】
次に、図３〜図５を参照しながら、入力操作装置の残りの構成について説明する。なお、導光体６１、導光体６２、発光素子４１、発光素子４２、発光素子４３については、上記で詳細に説明したため、ここでは同一の符号を付して説明を省略する。
【００４１】
導光体６３は、配線基板３０の中央位置に載せられて配置されている。導光体６３の下方に発光素子４４（発光部２４０）が配置されている。発光素子４４は配線基板３０の上面に配置されている。導光体６３は、発光素子４４（発光部２４０）からの光を導光する。
【００４２】
導光体６３は、鍔状外周部を有する。導光体６３の鍔状外周部は、遮光用の筒状体７０の下端で上方から押さえ込まれており、筒状体７０と筒状の配線基板３０との間に挟まれている。この構成により、導光体６３は位置決めされている。
【００４３】
筒状体７０は、上下に積み重ねられた三つの樹脂部材が結合されて筒状に構成されている。筒状体７０は、発光部２４０からの光を筒外に放出しない色の材質で形成されている。または、筒状における外周面や内周面に着色などをして遮光する構成であってもよい。導光体６３は、筒状体７０で囲まれる領域に、発光部２４０の上方に配される面状部を有する。
【００４４】
［入力操作装置の発光］
次に入力操作装置１００における発光について、図１〜４および図６〜８を参照しながら説明する。
【００４５】
＜導光体６３の発光＞
導光体６３の面状部は、下面から入射される発光部２４０の光を透過させる。導光体６３は、導光体６３の上面側から筒状体７０内に亘る光を発光するように形状が設定されている。導光体６３の面状部を透過した光は、筒状体７０内で反射等をしながら筒状体７０の上部に到る。そして、この光で、筒状体７０の天面に装着された意匠プレート５０を照光する。意匠プレート５０の透光部には、文字列“ＰＵＳＨ  ＤＲＩＶＥ  ＭＯＤＥ（以下、マーク３３０と表す）”が形成されている。
【００４６】
意匠プレート５０は、筒状体７０の天面部材に装着されている。筒状体７０の天面部材は、光透過性の材質で形成されている。また、詳細は後述するが、筒状体７０の天面部材の上方位置にはタッチセンサ７５やノブ天面２５Ｄが配置されている。タッチセンサ７５やノブ天面２５Ｄについても光透過性のものが用いられている。
【００４７】
意匠プレート５０の透光部に形成されている文字等が照光されると、図８に示すように、操作ノブ１１０の上面の表示領域にマーク３３０が照光され、表示される。
【００４８】
ノブ構造体２５の内部で、かつ筒状体７０の外方には、一様な厚みのアクリル板などで形成されている導光体６１が配置されている。導光体６１は、筒状体７０の外径よりも大きい内径の円筒形で、側面部６１Ｂの上部が上面部６１Ａで塞がれた形状である。
【００４９】
導光体６１は、端面位置などから板厚内に光が入射されると、入射された光を板厚内で反射させながら導光させていく。
【００５０】
導光体６１の下端面は、発光部２１０（発光素子４１）と発光部２２０（発光素子４２）に上下方向で対向している。すなわち、本実施の形態の入力操作装置１００では、発光部２１０および発光部２２０からの導光体６１への光の入射部は、導光体６１の下端面の下方に設定されている。なお、導光体６１の側面部６１Ｂは必ずしも筒状である必要はなく、少なくとも発光部２１０と発光部２２０とに対向する形状であれば良い。
【００５１】
導光体６１は、下端面から入射される光を板厚内で導光させていき、上面部６１Ａに導く。上面部６１Ａには、導かれてきた光を所定のマークで上方に反射散乱させる加工が施されている。以下、本実施の形態では、導光体６１の上面部６１Ａで発光する所定のマークは、マーク３１０（図９参照）またはマーク３２０（図１０参照）とする。
【００５２】
導光体６１では、発光部２１０から入射される光が反射散乱すると、上面部６１Ａで図９に示すマーク３１０が上方に向かって発光する。一方、発光部２２０から入射される光が反射散乱すると上面部６１Ａで図１０に示すマーク３２０が上方に向かって発光する。
【００５３】
本実施の形態の入力操作装置１００では、導光体６１において、マーク３１０が形成されている領域と、マーク３２０が形成されている領域とは、少なくとも一部が重なっている。そして、通常、発光部２１０と発光部２２０とを同時に点灯させないように制御される。
【００５４】
なお、発光素子４４（発光部２４０）からの光は、筒状体７０で遮られるため、導光体６１の側面部６１Ｂに到ることはない。但し、発光素子４４から発光する光のうち、意匠プレートを通過し、上方に向かって発光する光は、導光体６１の上面部６１Ａに到達する。しかしながら、上方に向かって発光する光は、上面部６１Ａを通過するため、導光体６１のマーク３１０およびマーク３２０の発光には影響を及ぼさない。
【００５５】
ノブ構造体２５の内部で、かつ導光体６１の外方には、一様な厚みのアクリル板などからなる導光体６２が配置されている。つまり、導光体６２は、導光体６１よりも高さが少し高く、導光体６１の外径よりも大きい内径の円筒形である。導光体６２の側面部６２Ｂの上部が上面部６２Ａで塞がれた形状である。下端は、円形リング状で、側面部６１Ｂの下端の位置は、同じ高さに揃っている。
【００５６】
導光体６２は、導光体６１と同様に、端面位置などから板厚内に入射される光を板厚内で反射させながら導光させていく。
【００５７】
導光体６２の円形リング状の下端面は、発光部２３０（発光素子４３）に上下方向で対向している。すなわち、本実施の形態の入力操作装置１００では、発光部２３０からの導光体６２への光の入射部は、導光体６２の下端面の下方に設定されている。なお、導光体６２の側面部６２Ｂは必ずしも筒状である必要はなく、少なくとも発光部２３０に対向する形状であれば良い。
【００５８】
導光体６２では、下端面から入射される光を板厚内に入射させていき、上面部６２Ａに導く。上面部６２Ａには、導かれてきた光を上方に反射散乱させる加工が施されている。
【００５９】
本実施の形態の入力操作装置１００では、光の反射散乱状態として、同心円状で中央側に向かうにつれて反射散乱度合いが少なくなるように加工が施されたものを用いている。つまり、グラデーションの発光を実現するように、導光体６２の表面には加工が施されている。なお、中央側に向かうについてれ反射散乱度合いが少なくなる加工は一例であって様々なグラデーションが考えられる。
【００６０】
さらには、グラデーションの発光が必ずしも施される必要はない。一定の輝度の光を発光してもよい。
【００６１】
なお、導光体６１の下端面と導光体６２の下端面は、いずれも、筒状体７０の周縁に設けられた側方突出部の上に配置されている。そして、側方突出部に設けられている貫通孔を介して対応する発光部２１０、発光部２２０と発光部２３０に対向している。側方突出部には、発光部２１０と、発光部２２０または発光部２３０の光が混合することを防ぐために仕切りが設けられている。
【００６２】
導光体６２の上面部６２Ａの上方には、ノブ構造体２５のノブ天面２５Ｄが位置している。天面保持体２５Ｅは、ノブ天面２５Ｄの周縁部を保持して、回転部材保持体２５Ｃに固定されている。ノブ天面２５Ｄの下面には、タッチセンサ７５が接着等によって固着されている。ノブ天面２５Ｄやタッチセンサ７５は透明性を有する。
【００６３】
タッチセンサ７５は、センサ用制御部（図示せず）に接続されている。ノブ天面２５Ｄの上面が指等で触られると、センサ用制御部は、その操作された位置を検出する。
【００６４】
ノブ構造体２５は、ケース部２０に対して押し下げ可能に組み込まれている。
【００６５】
ノブ構造体２５の下方には、自己復帰タイプのスイッチ８１が配置されている。ノブ構造体２５が押し下げられた際に、スイッチ８１の状態が切り換わる。
【００６６】
スイッチ８１は、中間ケース２０Ｃと下ケース２０Ｂとの間に挟持された配線基板９０に実装されている。
【００６７】
配線基板９０には、前述したセンサ用制御部や第１発光部２１０〜第４発光部２４０の点灯または消灯状態などを制御するための照光用制御部（図示せず）が配置されている。また、配線基板９０には、リング状操作部材２５Ｆの回転状態を検出するための回転検出部も構成されている。これらは配線基板９０以外に設けられていてもよい。
【００６８】
さらに、配線基板９０には、自己復帰タイプのスイッチ８２が配置されている。スイッチ８２は、それぞれ対応する押圧スイッチ部１２０のボタン部材１２０Ａを押し下げた際に、各々作動して状態が切り換わる。
【００６９】
以上のように、入力操作装置１００は構成されている。
【００７０】
［入力操作装置１００の発光状態の変化の例］
次に、入力操作装置１００の発光状態の変化の一例について説明する。
【００７１】
＜第１の状態（通常状態）＞
入力操作装置１００は、第１の状態として図８に示すようにマーク３３０が、操作ノブ１１０の上端部位置の表示領域内に照光されて視認可能になっている。第１の状態は一般的に「通常状態」と呼ばれている。第１の状態では、発光部２４０のみが発光し、発光部２１０、２２０、２３０はオフしている。つまり、導光体６３は、導光体６３の上面側から筒状体７０内に亘る光を発光する。この光は、筒状体７０内で反射等をしながら筒状体７０の上部に到る。そして、この光で、筒状体７０の天面に装着された意匠プレート５０を照光し、図８に示すマーク３３０が操作ノブ１１０の上面の表示領域に表示される。
【００７２】
＜第２の状態（図９に示すマークが表示されている状態）＞
そして、第１の状態の時、所定の操作が行われて、例えばナビゲーションを使用するモードが設定されると、ディスプレイ９には地図や現在地などを示すためのポインタ（図９に示すマーク３１０参照）などが表示される。この時、操作ノブ１１０による操作で地図上のポインタは移動可能な状態に切り換わる。この状態を、本実施の形態では第２の状態と呼ぶ。
【００７３】
第２の状態では、発光部２２０と発光部２４０は消灯し、発光部２１０が点灯するように制御される。なお、発光部２３０の点灯、消灯についての制御状態は後述する。
【００７４】
第２の状態になると、操作ノブ１１０の上端部に設定されている表示領域内に、図９に示すマーク３１０が照光された状態に切り換わる。すなわち、発光部２１０からの光が導光体６１に入射され、その光が導光体６１の上面部６１Ａに到る。そして、上面部６１Ａの下面６１Ｃに加工されているマーク３１０が発光し、入力操作部位の表示領域内にマーク３１０が照光された状態になる。
【００７５】
さらに、入力操作部位の表示領域内にマーク３１０が照光されると同時に、ディスプレイ９に表示されたポインタが、操作ノブ１１０の上端部へのタッチ操作に応じて、移動可能に制御される。つまり、タッチセンサ７５の検出が行われ、ディスプレイ９に表示されているポインタが制御される。つまり、操作ノブ１１０の上端部でのタッチ操作の軌跡に応じてディスプレイ９に表示されている地図上のポインタが、対応する方向に移動する。また、操作ノブ１１０が押し下げられると、スイッチ８１の状態が切り換わることで出力されるスイッチ信号によって、ポインタで指し示された箇所が中心となってディスプレイ９内の地図が拡大表示されるように、ディスプレイ９は制御される。なお、上述した所定の動作によるディスプレイ９の表示内容の変更内容は、本実施の形態の入力操作装置１００を説明するための一例であり、これに限定されるものではない。
【００７６】
＜第３の状態（図１０に示すマークが表示されている状態）＞
第３の状態の時、所定操作が行われ、例えば入力操作装置１００は手書き入力モードに設定されると、ディスプレイ９は、入力操作装置１００に手書き入力された文字などを表示するように制御される。この状態を、本実施の形態では第３の状態と呼ぶ。
【００７７】
第３の状態では、発光部２１０と発光部２４０は消灯し、発光部２２０が点灯するように制御される。なお、発光部２３０の点灯、消灯についての制御状態は後述する。
【００７８】
第３の状態になると、操作ノブ１１０の上端部に設定されている表示領域内に、図１０に示すマーク３２０が照光された状態に切り換わる。すなわち、発光部２２０からの光が導光体６１に入射され、その光が上面部６１Ａに到る。そして、上面部６１Ａの下面６１Ｃ加工されているマーク３２０が発光し、入力操作部位の表示領域内にマーク３２０が照光された状態になる。なお、第１の状態から第３の状態に移行する場合と、第２の状態から第３の状態に移行する場合では、同様の動作状態になる。
【００７９】
さらに、入力操作部位の表示領域内にマーク３２０が照光されると同時に、操作ノブ１１０の上端部位置に対するタッチ操作の軌跡がタッチセンサ７５を介して検出されるように制御される。つまり、操作ノブ１１０の上端部への手書きした文字などがディスプレイ９に表示される。操作ノブ１１０が押し下げられ、スイッチ８１からのスイッチ信号で、その文字の決定等がされる。
【００８０】
以上に説明したように、本実施の形態の入力操作装置１００は、操作ノブ１１０の表示領域内に、マーク３１０、３２０、３３０の何れかを照光させて視認可能なように構成されている。
【００８１】
なお、マーク３１０とマーク３２０の照光については、導光体６１の上面部６１Ａで、マーク３１０とマーク３２０とが切り換わって発光する。この構成により、１つの導光体６１で２つのマークを照光することができ、部品点数の削減が図れ、かつ生産工程なども簡素化できる。
【００８２】
＜導光体６２および発光部２３０の動作＞
本実施の形態の入力操作装置１００は、発光部２３０および導光体６２を更に有する。上述した第１の状態〜第３の状態の導光体６１の照光に連動させて、発光部２３０を点灯させることができる。
【００８３】
つまり、発光部２３０（複数の発光素子４３）が点灯されると、発光部２３０からの光が導光体６２に下端面から入射される。その光は導光体６２の上面部６２Ａに到って、上面部６２Ａが発光する。導光体６２の上面部６２Ａの下面６２Ｃは、同心円状で内側に向うにつれて光の反射散乱度合いが少なくなるように加工形成されている。このため、第２上面部６２Ａの発光状態は、円形リングの同心円状で中央側の輝度が落ちていくグラデーションをつけた面発光状態で発光する。言い換えると、操作ノブ１１０の表示領域内では、グラデーションがついた照光状態になる。
【００８４】
マーク３１０（またはマーク３２０、マーク３３０）が照光された状態で、発光部２３０が点灯されると、操作ノブ１１０の表示領域では、グラデーションがついた照光状態の中で、マーク３１０（またはマーク３２０、マーク３３０）が視認可能になる。
【００８５】
また、複数の発光素子４３に印加する電流、電圧を変えると、グラデーションの照光の強弱をつけることが可能である。なお、本実施の形態では導光体６２の下面６２Ｃは、グラデーションを有する面発光ができるように加工されているが、必ずしもグラデーションを有する発光ができるように加工される必要はなく、一定の輝度の発光ができるように加工されていても良い。
【００８６】
グラデーション加工がされていない構成では、複数の発光素子４３に印加する電流、電圧を変えることによって、導光体６２からは発光する単調な光の輝度を可変させることができる。なお、グラデーションが加工されている場合であっても、輝度を可変させてもよい。
【００８７】
または、複数の発光素子４３に対して、決められた個々の順序で点灯、消灯を切り変えるなどして、グラデーション以外の照光状態にすることもできる。
【００８８】
操作ノブ１１０の左右に設けた押圧スイッチ部１２０は、例えば第１の状態に戻るためのホームキーやリターンキーなどに割り当てればよい。
【００８９】
以上の説明から判るように、操作ノブ１１０は、複数の操作状態に対応して使用可能になっている。そして、操作ノブ１１０の同じ表示領域内に、各々の操作機能に応じた文字などが切り換わって照光される。特に、本実施の形態の入力操作装置１００の操作ノブ１１０では、１つの導光体６１だけを用いて、２つのマーク（マーク３１０とマーク３２０）を照光できる。このため、操作ノブ１１０の小型軽量化なども図れる。
【００９０】
上述した本実施の形態の入力操作装置１００を以下のように設定することが可能である。
【００９１】
導光体６１から、マーク３１０またはマーク３２０のいずれかを発光させるのと同時に、導光体６２から輝度を可変させながら、面発光を行うことが可能である。
【００９２】
つまり、本実施の形態の入力操作装置では、配線基板３０と、配線基板３０の上面に配置される発光部２１０と、配線基板３０の上面に配置される発光部２２０と、配線基板３０の上面に配置される発光部２３０とを有する。更に、上面部６１Ａと側面部６１Ｂを有し、上面部６１Ａの下面に第１マーク（例えばマーク３１０）および第２マーク（例えば３２０）が加工されている導光体６１を有する。更に、上面部６２Ａと側面部６２Ｂとを有する導光体６２を有する。導光体６１の側面部６１Ｂの上端は、導光体６１の上面部６１Ａと連結しており、導光体６１の側面部６１Ｂの下端は、発光部２１０（発光素子４１）および発光部２２０（発光素子４２）と対向している。そして、発光部２１０から導光体６１に入射される光によって、第１マーク(例えばマーク３１０)が導光体６１の上面部６１Ａで発光する。そして、発光部２２０（発光素子４２）から導光体６１に入射される光によって、第２マーク（例えばマーク３２０）が導光体６１の上面部６１Ａで発光する。更に、発光部２３０（発光素子４３）から導光体６２に入射される光によって、導光体６２の上面部６２Ａが発光する。そして、発光部２１０、発光部２２０、発光部２３０のうち少なくともいずれか１つは、発光する輝度を可変できる。
【００９３】
上述した構成により、例えば、マーク３１０を音量表示のマークとして、更に、音量と導光体６２で発光する輝度とを対応させ、視覚的に音量を把握できるような入力操作装置を実現することも可能となる。
【００９４】
他には、例えば、マーク３２０をエアコン作動中のマークとして、設定温度と導光体６２で発光する輝度とを対応させ、視覚的に設定温度を把握できるような入力操作装置を実現することも可能となる。
【００９５】
以上のように、マーク表示と輝度との組み合わせにより、入力操作装置の操作を視覚的により分かりやすくすることが可能となる。
【００９６】
上述した本実施の形態の入力操作装置１００を以下のように設定することも可能である。
【００９７】
導光体６１から、マーク３１０またはマーク３２０のいずれかを発光させるのと同時に、導光体６２からグラデーションを有する発光を行うことが可能である。
【００９８】
つまり、本実施の形態の入力操作装置では、配線基板３０と、配線基板３０の上面に配置される発光部２１０と、配線基板３０の上面に配置される発光部２２０と、配線基板３０の上面に配置される発光部２３０とを有する。更に、上面部６１Ａと側面部６１Ｂを有し、上面部６１Ａの下面に第１マーク（例えばマーク３１０）および第２マーク（例えば３２０）が加工されている導光体６１を有する。更に、上面部６２Ａと側面部６２Ｂとを有する導光体６２を有する。導光体６１の側面部６１Ｂの上端は、導光体６１の上面部６１Ａと連結しており、導光体６１の側面部６１Ｂの下端は、発光部２１０（発光素子４１）および発光部２２０（発光素子４２）と対向している。そして、発光部２１０から導光体６１に入射される光によって、第１マーク(例えばマーク３１０)が導光体６１の上面部６１Ａで発光する。そして、発光部２２０（発光素子４２）から導光体６１に入射される光によって、第２マーク（例えばマーク３２０）が導光体６１の上面部６１Ａで発光する。そして、導光体６１および導光体６２のうち少なくともいずれか一方は、グラデーションを有する発光ができるように加工されている。
【００９９】
上述した構成により、輝度を変化させるのと同様にグラデーション表示とマークを重ね合わせることによって、視覚的に操作状態を把握できる機能を実現することができる。具体的には、例えばマーク３２０をエアコン作動中のマークとし、車室内の温度が設定温度に到達すれば、グラデーションを有する発光を行う構成とする。これにより、搭乗者はグラデーションの発光状態を視認するだけで、車室内の温度状態を知ることができる。
【０１００】
なお、上述した入力操作装置１００では、導光体６１の側面部６１Ｂおよび導光体６２の側面部６２Ｂは円柱である。しかしながら必ずしも円柱である必要はない。
【０１０１】
つまり、導光体６１の側面部は、必ずしも円柱である必要はなく、少なくとも２つの側面部（以下、第１側面部、第２側面部と呼ぶ）を有すれば良い。そして、第１側面部の上端は導光体６１の上面部６１Ａと連結しており、第１側面部の下端は発光部２１０と対向しており、第２側面部の上端は導光体６１の上面部６１Ａと連結しており、第２側面部の下端は発光部２２０と対向していればよい。
【０１０２】
本実施の形態では、導光体６１の側面部が筒状である、つまり、第１側面部と第２側面部が一体形成されている例である。
【０１０３】
上述した入力操作装置１００では、導光体６１に一定の輝度で発光ができるマーク３１０およびマーク３２０が加工され、導光体６２にグラデーションを有する面発光ができるように加工されている。
【０１０４】
つまり、導光体６１または導光体６２のいずれかは、グラデーションを有する発光ができるように加工されている第１発光領域を有し、導光体６１または導光体６２のいずれかは、一定の輝度で発光ができるように加工されている第２発光領域を有する。そして、第１発光領域と第２発光領域とが、異なる領域である。
【０１０５】
より、好ましくは、本実施の形態のように、一定の輝度で発光ができるように加工されている第２発光領域は、導光体６１に形成されており、第２発光領域（導光体６１の下面の一部）に第１マーク(マーク３１０)および第２マーク（マーク３２０）の少なくともいずれか一方が加工されている。
【０１０６】
なお、上述した入力操作装置１００では、発光部２４０と発光部２４０に対応する導光体６３を有しているが、必ずしも発光部２４０および導光体６３を有する必要はない。更には、発光部２３０と、発光部２３０に対応する導光体６２を有しない構成にしてもよい。少なくとも導光体６１および発光部２１０、発光部２２０を有すれば、一つの入力操作部位に対して複数のマークを切り換えて表示可能に構成することができる。
【０１０７】
なお、上述した本実施の形態では、マーク３１０、マーク３２０は、同じ導光体６１の上面部６１Ａに形成されている。しかしながら、必ずしもマーク３１０、マーク３２０は、上面部６１Ａに形成される必要はない。同じ表示領域にマーク３１０とマーク３２０を切り換えて、表示させることができれば、マーク３１０およびマーク３２０を形成する領域は限定されない。
【０１０８】
導光体６２が照光する領域は、導光体６１がマーク３１０またはマーク３２０が表示される領域に重なるように設定されていればよい。
【０１０９】
導光体６１と導光体６２の外形等は、適宜設定すればよい。導光体６１と導光体６２の外形は、本実施の形態の形状に限定されるものではない。導光体６１と導光体６２の外形等に応じて、発光部２１０、２２０、２３０は配置されていればよい。発光部２１０、発光部２２０の配置は、上述した点対称の位置関係に構成すると好ましいが、これ以外であってもよい。
【０１１０】
（実施の形態の変形例）
次に、図１２を参照しながら本実施の形態の変形例について説明する。
【０１１１】
上述した実施の形態では、図１１に示すように、導光体６２の上面部６２Ａが、導光体６１の上方に位置する。一方、図１２に示す本実施の形態の変形例では、導光体６１の上面部６１Ａが、導光体６２の上方に位置する。さらに、導光体６１の端面が、発光部２１０および発光部２２０に対向し、導光体６２の端面が発光部２３０に対向するように、発光部２１０、２２０、２３０の配置は、実施の形態から変更されている。
【０１１２】
なお、その他の構成については図１１と同様なので説明を省略する。
【０１１３】
図１１の構成では、グラデーションまたは輝度可変のための導光体６２をマーク表示用の導光体６１の下方に配置しているので、図１２に示す配置より、グラデーションの発光や輝度変化がマークの発光を邪魔することなく、より視認性を向上させることができる。
【０１１４】
つまり、本実施の形態の変形例では、例えば、グラデーションを有する発光ができるように加工されている発光領域は、導光体６２に形成され、一定の輝度で発光ができるように加工されている第２発光領域（例えば、マーク３１０またはマーク３２０が加工されている領域）は、導光体６１に形成し、導光体６１の上面部６１Ａは、第２導光体６２の上方に配置されている。
【０１１５】
この構成により、マーク３１０またはマーク３２０と、グラデーションを有する発光を重ね合わせて表示させた時、図１１に示す配置より、より鮮明に、マークを表示させることができる。
【０１１６】
なお、上述した、実施の形態および実施の形態の変形例において、操作ノブ１１０の詳細構成は上記構成に限定されることはない。そして、本開示は、操作ノブ１１０以外に適用してもよい。例えば、自動車以外であっても、各種電子機器の入力操作部位などに本開示を適用してもよい。
【産業上の利用可能性】
【０１１７】
本開示による入力操作装置は、入力操作部位の同じ表示領域に対してマークを切り換えて表示できる。主に各種電子機器や車両の車室内等に搭載する際などに有用である。
【符号の説明】
【０１１８】
１  センターコンソール
３  センターアームレスト
５  インストルメントパネル
７  エアコン操作パネル
９  ディスプレイ
２０  ケース部
２０Ａ  上ケース
２０Ｂ  下ケース
２０Ｃ  中間ケース
２５  ノブ構造体
２５Ａ  基板保持体
２５Ｂ  ノブ保持体
２５Ｃ  回転部材保持体
２５Ｄ  ノブ天面
２５Ｅ  天面保持体
２５Ｆ  リング状操作部材
３０，９０  配線基板
４１，４２，４３，４４  発光素子
５０  意匠プレート
６１，６２，６３  導光体
６１Ａ，６２Ａ  上面部
６１Ｂ，６２Ｂ  側面部
６１Ｃ，６２Ｃ  下面
７０  筒状体
７５  タッチセンサ
８１，８２  スイッチ
１００  入力操作装置
１１０  操作ノブ
１２０  押圧スイッチ部
１２０Ａ  ボタン部材
２１０，２２０，２３０，２４０  発光部
３１０，３２０，３３０  マーク
【図１】
0006454882.tif 000002
【図２】
0006454882.tif 000003
【図３】
0006454882.tif 000004
【図４】
0006454882.tif 000005
【図５】
0006454882.tif 000006
【図６】
0006454882.tif 000007
【図７】
0006454882.tif 000008
【図８】
0006454882.tif 000009
【図９】
0006454882.tif 000010
【図１０】
0006454882.tif 000011
【図１１】
0006454882.tif 000012
【図１２】
0006454882.tif 000013